(57)【要約】【課題】複数の光沢印刷方式の中から、入力された光沢色データに対応する光沢印刷方式を選択すること。【解決手段】本発明は、印刷物の表面に光沢調を付与する画像記録装置であって、入力された光沢色データに基づき、処理対象毎に、複数の光沢印刷方式の中から少なくとも１つの光沢印刷方式を選択する選択手段と、前記選択された少なくとも１つの光沢印刷方式に基づき画像を記録する記録手段とを備えたことを特徴とする。【選択図】図３
2016076774.tif 000002
【特許請求の範囲】
【請求項１】
印刷物の表面に光沢調を付与する画像記録装置であって、
入力された光沢色データに基づき、処理対象毎に、複数の光沢印刷方式の中から少なくとも１つの光沢印刷方式を選択する選択手段と、
前記選択された少なくとも１つの光沢印刷方式に基づき画像を記録する記録手段と
を備えたことを特徴とする画像記録装置。
【請求項２】
前記選択手段は、画像記録装置固有の予め決められた優先順位情報が示す順番に従って、前記複数の光沢印刷方式毎のルックアップテーブルを参照することにより、前記少なくとも１つの光沢印刷方式を選択することを特徴とする請求項１に記載の画像記録装置。
【請求項３】
ユーザより入力された優先順位情報を取得する取得手段を更に備え、
前記選択手段は、前記取得された優先順位情報に基づいて前記少なくとも１つの光沢印刷方式を選択することを特徴とする請求項１に記載の画像記録装置。
【請求項４】
前記優先順位情報により、優先する光沢印刷方式、又は、優先する光沢印刷方式を特定可能な条件が指定されることを特徴とする請求項２又は３に記載の画像記録装置。
【請求項５】
前記条件は、インク消費量、記録可能な解像度、光沢強度、光沢写像性、観察角度毎の色の変化のうちの少なくとも１つを含むことを特徴とする請求項４に記載の画像記録装置。
【請求項６】
前記優先順位情報により、前記処理対象が指定されることを特徴とする請求項２乃至５の何れか一項に記載の画像記録装置。
【請求項７】
前記処理対象は、画素、色相、オブジェクトの何れかであることを特徴とする請求項１乃至６の何れか一項に記載の画像記録装置。
【請求項８】
前記選択手段は、前記複数の光沢印刷方式の中から２つ以上の光沢印刷方式を選択し、
前記記録手段は、前記選択された２つ以上の光沢印刷方式による色味を記録媒体上で並置させる印刷データを生成することを特徴とする請求項１乃至７の何れか一項に記載の画像記録装置。
【請求項９】
印刷物の表面に光沢調を付与する画像記録方法であって、
入力された光沢色データに基づき、処理対象毎に、複数の光沢印刷方式の中から少なくとも１つの光沢印刷方式を選択するステップと、
前記選択された少なくとも１つの光沢印刷方式に基づき画像を記録するステップと
を備えたことを特徴とする画像記録方法。
【請求項１０】
コンピュータに請求項９に記載の方法を実行させるための、プログラム。
【発明の詳細な説明】
【技術分野】
【０００１】
本発明は、複数の種類の光沢印刷方式の中から、入力されたデータに応じた光沢印刷方式を選択的に使い分ける画像記録装置、画像記録方法、及びプログラムに関する。
【背景技術】
【０００２】
近年、パンフレット等の商業印刷分野、雑誌・写真集等の出版印刷分野、又は化粧品等の紙器等の包装印刷分野での高級化及び個性化傾向は一段と進みつつある。高級化及び個性化傾向を実現するための技術として、金属や真珠の表面光沢の外観（本明細書では、「表面光沢調」と呼ぶ）を印刷物に付与する技術が用いられている。
【０００３】
例えば、記録媒体の表面に金属箔等を塗布することで表面光沢調の表現を実現する記録媒体作成技術が知られている（特許文献１を参照）。しかしながら、特許文献１では、印刷物全面に表面光沢調を付与することは容易であるが、任意領域のみに表面光沢調を発生させることができないという課題があった。
【０００４】
一方、印刷物の任意領域のみに表面光沢調を発生させる手法が知られている。例えば、金属粉を含む着色剤を色材に含むメタリック調やパール調の特殊光沢色材（金属インク）を用いることで、表面光沢調の外観を持つ印刷物を作成する光沢印刷方式（本明細書では、「金属インク方式」と呼ぶ）が知られている（特許文献２を参照）。
【０００５】
更に、金属粉を含む着色剤を用いずに表面光沢調を発生させる手法として、光の反射や干渉を利用する手法が知られている。例えば、印刷物の表面に光の波長と同程度の厚みのインク膜を形成することで表面光沢調の外観を持つ印刷物を作成する光沢印刷方式（本明細書では、「薄膜干渉方式」と呼ぶ）が知られている（特許文献３を参照）。また、光の吸収係数が高いインク層の上に、屈折率の波長分散性が高いインクを重ねることで表面光沢調の外観を持つ印刷物を作成する光沢印刷方式（本明細書では、「ブロンズ方式」と呼ぶ）も考えられる。
【０００６】
以下、印刷物の任意領域のみに表面光沢調を発生させる従来手法、具体的には、金属インク方式、薄膜干渉方式、及びブロンズ方式について、夫々の方式によって作成された印刷物の断面模式図を用いて簡単に説明する。
【０００７】
まず、金属インク方式について説明する。金属インク方式で作成した印刷物の断面模式図を、図１（ａ）に示す。金属インク方式で作成した印刷物は、記録媒体１０３上に金属粉を含む着色剤を用いた画像１０４ａを記録することで実現する。記録された画像１０４ａに金属粉が含まれていることから、観察光源１０１より照射され観察者１０２に観察される反射光量が他の光沢印刷方式に比べ多く、高輝度な表面光沢調を実現することが可能となる。また、記録媒体１０３の表面を被覆する割合（表面被覆率）に応じて、表面光沢調の濃度を調整することが可能となる。一方で、表面光沢調の色味を制御するためには、混ぜ込む金属粉を制御する必要があり、多様な色味を実現する場合にはインク種を増やす必要がある。
【０００８】
次に、薄膜干渉方式について説明する。薄膜干渉方式で作成した印刷物の断面模式図を、図１（ｂ）に示す。薄膜干渉方式で作成した印刷物は、記録媒体１０３上に光の波長と同程度の厚みを有するインク膜１０４ｂを形成することで実現する。尚、濃度が薄く透明なインクを用いてインク膜１０４ｂを形成することが望ましい。光の波長と同程度の厚みを有するインク膜１０４ｂの表面で反射する光と、インク膜１０４ｂを透過し記録媒体１０３より反射した光とが干渉しあって観察者１０２に観察される。そのため、インク膜１０４ｂの厚みを制御することで、表面光沢調の色味を制御することが可能となる。一方で、表面光沢調の色味を所望の色味に近づけるためには、インク膜の厚みのバラツキを小さくする必要がある。
【０００９】
最後に、ブロンズ方式について説明する。ブロンズ方式で作成した印刷物の断面模式図を、図１（ｃ）に示す。ブロンズ方式で作成した印刷物は、記録媒体１０３上に、光の吸収係数が高い第一のインクで形成される第一のインク層１０４ｃと、当該第一のインク層の上に屈折率の波長分散性が高い第二のインクで形成される第二のインク層１０５ｃとを重ねることで実現する。第一のインク層１０４ｃを下地にすることで、第二のインク層１０５ｃの内部で拡散する光を減らし、観察者１０２まで到達する光の大部分を第二のインク層１０５ｃの表面で反射する光にする。これにより、薄膜干渉方式に比べ彩度の高い表面光沢調を実現することが可能となる。また、記録媒体１０３の表面を被覆する割合（表面被覆率）に応じて、表面光沢調の濃度を調整することが可能となる。一方で、金属インク方式と同様で、表面光沢調の色味を制御するためには混ぜ込む顔料を制御する必要があり、多様な色味を実現する場合にはインク種を増やす必要がある。
【先行技術文献】
【特許文献】
【００１０】
【特許文献１】特開２００５−３３６６６０号公報
【特許文献２】特開２０１２−１８３７０８号公報
【特許文献３】特開２００９−１８４３２４号公報
【発明の概要】
【発明が解決しようとする課題】
【００１１】
上述した、３つの光沢印刷方式による表面光沢調の色味の違いを、図２に示す。図２は、光沢印刷方式毎に表現できる表面光沢調の色味がａ＊ｂ＊平面でどの位置かを示した図である。
【００１２】
図２は、金属インク方式の例として、金色の金属粉を含む着色剤を用いた場合を示している。図２中のプロット点Ｍｅｔ１_１２８は表面被覆率が５０％の場合、プロット点Ｍｅｔ１_２５５は表面被覆率が１００％の場合を表している。
【００１３】
また図２は、薄膜干渉方式の例として、インク膜１０４ｂの厚みを変えた場合も示している。図２中のプロット点ＣＬ_１６からプロット点ＣＬ_２５５まで、符号末尾の数値が大きくなるほどインク膜が厚い場合を表している。より具体的には、プロット点ＣＬ_１６が厚み２０ｎｍ、プロット点ＣＬ_２５５が厚み３００ｎｍの場合を表している。尚、インク膜の厚みと色味との関係は、インク膜を形成するインクの材料によって異なるため、上記の一例に限定されない。
【００１４】
更に図２は、ブロンズ方式の例として、異なる２種類の着色剤を用いた場合も示している。プロット点Ｂｒ１_１２８、プロット点Ｂｒ１_２５５は赤銅色の波長分布と類似した屈折率を持つインクを第一のインクとした場合を表している。より具体的には、プロット点Ｂｒ１_１２８は表面被覆率が５０％の場合、プロット点Ｂｒ１_２５５は表面被覆率が１００％の場合を表している。同様にプロット点Ｂｒ２_１２８、プロット点Ｂｒ２_２５５は銅色の波長分布と類似した屈折率を持つインクを第二のインクとした場合を表している。プロット点Ｂｒ２_１２８は表面被覆率が５０％の場合、プロット点Ｂｒ２_２５５は表面被覆率が１００％の場合を表している。
【００１５】
以上、図２に示した通り、薄膜干渉方式では１種類のインクによってインク膜１０４ｂの厚みを制御することで、複数の色相の色味を表現することが可能だが、金属インク方式やブロンズ方式に比べ表現できる色味の彩度が低いことが知られている。
【００１６】
上記で示した通り、夫々の光沢印刷方式で表現できる表面光沢調の色味が異なるため、ユーザが表現したい色味に応じて適切な光沢印刷方式を選択する必要があった。また、同じ色味を複数の光沢印刷方式で表現可能である場合にインク消費量、記録できる解像度の違い、入力データに含まれるオブジェクトや色相毎の連続性を考慮して適切な光沢印刷方式を選択することは困難であった。
【００１７】
本発明は、上記の課題を鑑みてなされたものである。本発明は、複数の光沢印刷方式の中から、入力された光沢色データに対応する光沢印刷方式を選択することを目的とする。
【課題を解決するための手段】
【００１８】
本発明は、印刷物の表面に光沢調を付与する画像記録装置であって、入力された光沢色データに基づき、処理対象毎に、複数の光沢印刷方式の中から少なくとも１つの光沢印刷方式を選択する選択手段と、前記選択された少なくとも１つの光沢印刷方式に基づき画像を記録する記録手段とを備えたことを特徴とする。
【発明の効果】
【００１９】
本発明により、入力された光沢色データに対応する光沢印刷方式を容易に選択することが可能となる。
【図面の簡単な説明】
【００２０】
【図１】光沢印刷方式によって表面光沢調を発生させた印刷物の断面模式図である。
【図２】光沢印刷方式によって表現できる表面光沢調の色味の違いを示す図である。
【図３】実施例１〜３に係る画像記録装置の構成を示すブロック図である。
【図４】実施例１に係るデータ入力部に入力される光沢色データを説明する模式図である。
【図５】実施例１に係る光沢印刷方式選択部が実行する処理のフロー図である。
【図６】実施例１に係る、光沢色データと印刷条件との対応関係を表すＬＵＴである。
【図７】マルチパス記録方式における、記録ヘッド及び記録パターン（マスクパターン）を模式的に示した図である。
【図８】マルチパス記録方式において光沢調の表現を制御する場合の記録パターン（マスクパターン）を模式的に示した図である。
【図９】実施例２に係る光沢印刷方式選択部が実行する処理のフロー図である。
【図１０】優先順位情報を入力するときにユーザに提示されるＵＩを示す図である。
【図１１】複数の光沢印刷方式による色味を並置混色させる場合の説明図である。
【図１２】実施例３に係る光沢印刷方式選択部が実行する処理のフロー図である。
【図１３】光沢色データと、印刷条件との対応関係を表すＬＵＴである。
【図１４】本発明の一実施例に係る、光沢印刷方式選択部が実行する処理のフロー図である。
【図１５】本発明の一実施例に係る、画像記録装置の構成を示すブロック図である。
【図１６】データ入力部に入力される、光沢色データと拡散色データとを両方含むデータを示す模式図である。
【発明を実施するための形態】
【００２１】
［実施例１］
実施例１では、予め決められた優先順位に従って、入力された光沢色データに対応する光沢印刷方式を選択する例を示す。
【００２２】
本明細書では、画像記録装置の記録材であるインクをＣｙａｎ、Ｍａｇｅｎｔａ、Ｙｅｌｌｏｗ、Ｂｌａｃｋ、Ｃｌｅａｒなど英語表記またはシアン、マゼンタ、イエロー、ブラック、クリアなど片仮名表記で表す。また、色又はそのデータ乃至色相をＣ、Ｍ、Ｙ、Ｋ、ＣＬなどの英大文字を用いて略記する。即ち、Ｃはシアン色又はそのデータ乃至色相を、Ｍはマゼンタ色又はそのデータ乃至色相を、Ｙはイエロー色又はそのデータ乃至色相を、Ｋはブラック色又はそのデータ乃至色相を、ＣＬは透明又はそのデータ乃至色相を、夫々表すものとする。
【００２３】
以下では、本実施例に係る画像記録装置として、Ｃ、Ｍ、Ｙ、Ｋ、ＣＬの５色のインクを保持し、光沢調を制御する光沢印刷方式として薄膜干渉方式とブロンズ方式との２つを使用可能な画像記録装置を例に挙げて説明する。ただし、画像記録装置が保持するインクは上記の５色に限定されない。ＣやＭの濃度を薄くした淡シアンや、淡マゼンタを用いても良いし、特許文献２で開示されるような金属を含んだ金や銀の色味を持つ金属インクを用いても良い。また、画像記録装置が使用可能な光沢印刷方式も、上記の２つに限定されない。
【００２４】
＜画像記録装置の構成＞
図３に、本実施例に係る画像記録装置３００の構成を表すブロック図を示す。画像記録装置３００は、データ入力部３０１と、光沢印刷方式選択部３０２と、記録部３０３と、光沢印刷方式選択部３０２が参照するルックアップテーブル（本明細書では「ＬＵＴ」と略記する）が格納される格納部３０４・３０５とから構成される。格納部３０４には、光沢印刷方式として薄膜干渉方式を選択するときに用いられる薄膜干渉方式ＬＵＴが格納され、格納部３０５には、光沢印刷方式としてブロンズ方式を選択するときに用いられるブロンズ方式ＬＵＴが格納される。尚、図３では、薄膜干渉方式ＬＵＴとブロンズ方式ＬＵＴとが異なる格納部に格納されているが、同一の格納部に格納されていても良い。
【００２５】
データ入力部３０１は、光沢色データを入力データとして受け取り、光沢印刷方式選択部３０２に転送する。次いで、光沢印刷方式選択部３０２は、転送された光沢色データに対応する光沢印刷方式を予め保持する、格納部３０４・３０５に格納されたＬＵＴを順番に参照することで、予め決められた優先順位情報に基づいて光沢印刷方式を選択する。最後に、記録部３０３は、印刷条件に基づいて印刷データを生成し、記録媒体上に画像を記録する。以下に、画像記録装置３００の各構成要素の処理を詳細に説明する。
【００２６】
＜データ入力部の説明＞
データ入力部３０１は、記録媒体上の領域ごとに表現したい光沢調の色味を指定する光沢色データの入力を受け付ける。光沢色データとは、印刷物に照明が映り込んだ際に観察される光沢の色味を指定するデータである。画素毎に表面光沢調で表現したい色味をＬ＊ａ＊ｂ＊色空間のａ＊ｂ＊の値を使って指定する。図４に、記録したい絵柄と光沢色データとの組み合わせの例を示す。図４（ａ）に示す絵柄で、黒く塗りつぶされた領域の光沢調の色味がａ＊＝１０、ｂ＊＝２０の場合の光沢色データを、図４（ｂ）に示す。尚、より好適には光沢色データの解像度情報やオブジェクト情報、色相情報が付属されていることが望ましい。入力された光沢色データは、光沢印刷方式選択部３０２へと送られる。
【００２７】
＜光沢印刷方式選択部の説明＞
光沢色データを送られた光沢印刷方式選択部３０２は、格納部３０４・３０５に格納されたＬＵＴを予め決められた優先順位情報に基づいて順に参照し、入力された光沢色データに対応する光沢印刷方式を選択する。
【００２８】
本実施例では、優先順位情報の一例として、薄膜干渉方式がブロンズ方式よりも優先されることを示す優先順位情報を例に挙げて説明する。この優先順位情報は、画像記録装置３００固有の予め決められた情報である。また、本実施例では、優先順位に従って画素毎に光沢印刷方式を選択する。尚、優先順位情報は上記の一例に限定されない。本実施例では、表現できる色相が多いことから薄膜干渉方式がブロンズ方式よりも優先される例を示すが、より高彩度な光沢調の色味を表現したい場合にはブロンズ方式を薄膜干渉方式よりも優先しても良い。また、本実施例では、画素毎に光沢印刷方式を選択する例を示すが、必ず画素毎に光沢印刷方式を選択しなければならないという訳ではない。例えば、階調飛びや疑似輪郭を発生させないために、入力された光沢色データに含まれるオブジェクト毎や色相毎に光沢印刷方式を選択しても良い。
【００２９】
図５に、光沢印刷方式選択部３０２が実行する処理の詳細なフロー図を示す。光沢印刷方式選択部３０２は、入力された光沢色データの画素毎に処理を行い、全画素に対して光沢印刷方式を選択するまで、繰り返し処理を行う。
【００３０】
ステップＳ５０１（以下、「ステップＳ５０１」は「Ｓ５０１」と略記し、他のステップも同様に略記する）では、光沢印刷方式選択部３０２は、薄膜干渉方式ＬＵＴを参照して、着目画素の光沢色データに対応する印刷条件が存在するか否かを判定する。光沢印刷方式選択部３０２が薄膜干渉方式ＬＵＴをブロンズ方式ＬＵＴより先に参照する理由は、上述した通り、本実施例では薄膜干渉方式がブロンズ方式よりも優先されるからである。Ｓ５０１の判定の結果、着目画素の光沢色データに対応する印刷条件が薄膜干渉方式ＬＵＴに存在する場合は、薄膜干渉方式で表現可能とし、Ｓ５０２へ進む。逆に、着目画素の光沢色データに対応する印刷条件が薄膜干渉方式ＬＵＴに存在しない場合は、薄膜干渉方式で表現不可能とし、Ｓ５０３へ進む。薄膜干渉方式ＬＵＴの例を図６（ａ）に示す。図６（ａ）に示す通り、入力された光沢色データのａ＊ｂ＊の値に対応する色味を薄膜干渉方式で実現する印刷条件として、各インクの打込み量と、表面に堆積させるインクの種類及び打込み量とが記載されている。尚、図６（ａ）では、薄膜干渉方式において光沢調の色味をより好適に観察できる例として、下地にＫインクを印刷するＬＵＴを例示したが、上記の一例に限定されない。例えば、別途入力された拡散光色データに応じて、下地を任意の色で表現しても良い。
【００３１】
Ｓ５０２では、光沢印刷方式選択部３０２は、光沢色データに対応する光沢印刷方式として薄膜干渉方式を選択し、薄膜干渉方式ＬＵＴを参照することで取得した印刷条件を、着目画素の印刷条件として決定する。
【００３２】
Ｓ５０３では、光沢印刷方式選択部３０２は、ブロンズ方式ＬＵＴを参照して、着目画素の光沢色データに対応する印刷条件が存在するか否かを判定する。判定の結果、着目画素の光沢色データに対応する印刷条件がブロンズ方式ＬＵＴに存在する場合は、ブロンズ方式で表現可能とし、Ｓ５０４へ進む。逆に、着目画素の光沢色データに対応する印刷条件がブロンズ方式ＬＵＴに存在しない場合は、ブロンズ方式で表現不可能とし、Ｓ５０５へと進む。ブロンズ方式ＬＵＴの例を図６（ｂ）に示す。図６（ｂ）に示す通り、薄膜干渉方式ＬＵＴと同様に、入力された光沢色データのａ＊ｂ＊の値に対応する色味をブロンズ方式で実現する印刷条件として、各インクの打込み量と、表面に堆積させるインクの種類及び打込み量とが記載されている。尚、図６（ｂ）では、ブロンズ方式において光沢調の色味をより好適に観察できる例として、下地にＫインクを印刷するＬＵＴを例示したが、上記の一例に限定されない。表面に堆積させるインクを透過してくる光を吸収するインクを下地に印刷できれば良く、例えば表面に堆積させるインクと補色関係にあるインクを下地に用いても良い。
【００３３】
Ｓ５０４では、光沢印刷方式選択部３０２は、光沢色データに対応する光沢印刷方式としてブロンズ方式を選択し、ブロンズ方式ＬＵＴを参照することで取得した印刷条件を、着目画素の印刷条件として決定する。
【００３４】
Ｓ５０５では、光沢印刷方式選択部３０２は、入力された光沢色データに対応する色味を、画像記録装置３００が使用可能な薄膜干渉方式又はブロンズ方式で表現することは不可能であると判定する。この場合、光沢印刷方式選択部３０２は、入力された光沢色データの色味に最も近い色味を表現可能な光沢印刷方式を選択することとなる。以下に、入力された光沢色データの色味に最も近い色味を表現する光沢印刷方式を選択する処理（マッピング処理）の例を示す。入力された光沢色データのａ＊ｂ＊をａ＊ｉｎ、ｂ＊ｉｎとし、光沢印刷方式毎のＬＵＴに記載されているａ＊ｂ＊をａ＊ＬＵＴ、ｂ＊ＬＵＴとし、以下の式（１）に基づいて色差ΔＥを印刷条件毎に算出する。  
【００３５】
【数１】
2016076774.tif 000003
【００３６】
例として、入力された光沢色データのａ＊ｂ＊がａ＊ｉｎ＝25、ｂ＊ｉｎ＝21である場合について説明する。この場合、光沢色データと図６（ａ）の１列目の印刷条件との色差ΔＥ_figure6_1は、ΔＥ_figure6_1＝（（25-15）２+（21-12）２）1/2＝13.45となる。このようにして、色差ΔＥを印刷条件毎に算出していき、印刷条件の中で最も色差ΔＥが最小になる印刷条件を、着目画素の印刷条件として決定する。尚、本実施例では、光沢印刷方式毎のＬＵＴに記載された印刷条件の中に、入力された光沢色データに対応する印刷条件が無い場合に、色差が最小となる印刷条件を選択する例を示したが、上記の一例に限定されない。例えば、色差の代わりに色相差が最小になる印刷条件を選択しても良い。
【００３７】
以上説明した処理を光沢印刷方式選択部３０２が実行することで、入力された光沢色データの画素毎に光沢印刷方式を選択し、印刷条件を決定する。
【００３８】
＜記録部の説明＞
次に、記録部３０３が実行する処理について説明する。記録部３０３は、光沢印刷方式選択部３０２で決定された画素毎の印刷条件に基づいて印刷データを生成する。次いで、記録部３０３は、生成した印刷データに基づいて、記録媒体上に光沢調が付与された画像を記録する。
【００３９】
本実施例では、記録媒体上に画像を記録する画像記録装置として、マルチパス記録方式のインクジェットプリンタを例に挙げて説明する。本実施例における印刷データとは、選択された各画素の印刷条件に基づいて、各インクをどの位置で吐出するかを決定するデータである。ただし、印刷データの形式はこれに限定されない。印刷データは、画像記録装置の記録方式に応じてデータ形式を変更して良い。例えば、電子写真方式の画像記録装置であれば、印刷データは露光レーザのオン・オフ信号であっても良い。また、印刷データは、記録するデータの特徴のみでなく、別途入力されるデータから取得可能な記録媒体の情報、印刷の品位情報、給紙方法等の制御情報等を含んでも良い。マルチパス記録方式によって画像を記録するための、印刷データの簡単な例を図７に示す。図７では、マルチパス記録方式を説明するために、記録ヘッド及び記録パターンが模式的に示されている。インクジェットプリンタの記録ヘッドは一般的に数１００個のノズルを有するが、ここでは簡単のため、記録ヘッド７０１は１６個のノズルを有するものとする。１６個のノズルは、図７に示すように第１〜第４の４つのノズル群に分割され、各ノズル群には４個のノズルが含まれている。図７中のマスクパターン７０２は、各ノズルが記録を行うエリアを黒塗りで示している。各ノズル群が記録するパターンは互いに補間の関係にあり、各ノズル群によって記録されるパターンを重ね合わせると４pixels×４pixelsのエリアに対応した領域の記録が完成される構成となっている。パターン７０３〜７０６は、記録走査を重ねていくことによって画像が完成されていく様子を示している。各記録走査が終了するたびに、記録媒体は図の矢印７０７の方向にノズル群の幅分ずつ（即ち、４画素分ずつ）搬送される。よって、記録媒体の同一領域（各ノズル群の幅に対応する領域）は４回の記録走査によって初めて画像が完成される構成となっている。以上のように、記録媒体の各同一領域が複数回の走査で複数のノズル群によって記録されることは、ノズル特有のばらつきや記録媒体の搬送精度のばらつき等を低減させる効果がある。
【００４０】
次に、印刷条件から印刷データを生成する例を示す。まず、記録部３０３は、印刷条件で選択されているインクの中で、最表面インク層として設定されているインクを除いたインクを下地インク、最表面インク層として設定されているインクを最表面インクとする。次いで、記録部３０３は、下地インク及び最表面インクを色毎に分解し、色毎に印刷データを生成する。例えば、Ｃ、Ｍ、Ｙ、Ｋ、ＣＬの５色のインクを搭載している本実施例に係るインクジェットプリンタであれば、５色のインクに対応する５つの印刷データが生成される。次いで、記録部３０３は、下地インク及び最表面インクを色毎に分解したデータに対しハーフトーン処理を行う。本実施形態におけるハーフトーン処理とは、多値の入力画像データを２値画像（又は２値以上で入力階調数より少ない階調数の画像）に変換する処理であり、本実施例では、公知の誤差拡散法を用いる。ただし、本実施例におけるハーフトーン処理は誤差拡散法に限られず、例えばディザマトリクスを用いた閾値処理による２値化を行ってもよい。次いで、記録部３０３は、ハーフトーン処理後のデータと、マスクパターンとを用いて印刷データを生成する。印刷データに変換されるマスクパターンの一例を、図８（ａ）に示す。印刷データを生成する際、記録部３０３は、マスクパターンを、前半の４パスで記録する下地インクのマスクパターンと、後半の８パスで記録する最表面インクのマスクパターンとの２種類に分ける。これにより、印刷データを用いて、下地となるインクと、最表面のインクとの記録走査順を制御することで、所望のインク層構造を記録媒体上に形成することが可能となる。以上の処理により生成した印刷データに基づいて、記録部３０３は、記録媒体上にインクドットを吐出し、画像を記録する。
【００４１】
尚、本実施例では、複数のインク層構造によって光沢調の表現を制御する例を示したが光沢調の表現を制御する方法は、上記の一例に限定されない。例えば、金属インク方式によって光沢調表現を実現する場合には複数のインク層構造にする必要はなく、最表面インクの値に対し図８（ｂ）に示すようなマスクパターンを用いても良い。
【００４２】
本実施例により、予め決められた優先順位に従って、入力された光沢色データに対応する光沢印刷方式を容易に選択することが可能になる。
【００４３】
［実施例２］
実施例１では、予め決められた優先順位情報に基づいて、画素毎に光沢印刷方式を選択する例を示した。実施例２では、取得した優先順位情報に基づいて、光沢印刷方式の優先度を制御し、制御した優先度に基づいて画素毎に光沢印刷方式を選択する例を示す。
【００４４】
＜画像記録装置の構成＞
本実施例においても実施例１と同様、Ｃ、Ｍ、Ｙ、Ｋ、ＣＬの５色のインクを保持し、光沢調を制御する光沢印刷方式として薄膜干渉方式とブロンズ方式との２つを使用可能な画像記録装置を例に挙げて説明する。
【００４５】
本実施例に係る画像記録装置３００は、データ入力部３０１と、優先順位情報を取得する優先順位情報取得部（不図示）を備えた光沢印刷方式選択部３０２と、記録部３０３とを備える。また、画像記録装置３００は、ＬＵＴを格納する格納部を備える（図３を参照）。データ入力部３０１、記録部３０３、及び格納部３０４・３０５については、実施例１と同様のため説明を省略する。以下、実施例１と異なる、本実施例に係る光沢印刷方式選択部３０２について説明する。データ入力部３０１の転送により光沢色データを取得する光沢印刷方式選択部３０２は、優先順位情報取得部によって優先順位情報も取得する。光沢印刷方式選択部３０２が優先順位情報を取得した後、光沢印刷方式選択部３０２は、取得した優先順位情報に基づいて優先された光沢印刷方式のＬＵＴより順にＬＵＴを参照し、入力された光沢色データに対応する光沢印刷方式を選択し、印刷条件を決定する。
【００４６】
＜光沢印刷方式選択部の説明＞
以下に、本実施例に係る光沢印刷方式選択部３０２の詳細な処理工程を、図９を用いて説明する。図９は、本実施例に係る光沢印刷方式選択部３０２が実行する処理のフロー図である。
【００４７】
Ｓ９０１では、光沢印刷方式選択部３０２は（光沢印刷方式選択部３０２が備える優先順位情報取得部は）、ユーザから入力された優先順位情報を取得する。優先順位情報とは、実施例１と同様に、光沢印刷方式を選択する処理対象（具体的には、画素、色相、オブジェクト等）と、優先する光沢印刷方式とを示す情報である。図１０（ａ）に、優先順位情報を取得する際にユーザに提示されるユーザインターフェース（ＵＩ）の例を示す。例えば、図１０（ａ）に示すようなＵＩを画像記録装置３００の制御用モニタ（不図示）に表示することで、画像記録装置３００は、ユーザに優先順位情報の入力を促す。光沢印刷方式選択部３０２が優先順位情報の入力を受け付けると、優先順位情報で指定された処理対象毎に光沢印刷方式を選択するため、Ｓ９０２へ進む。尚、図９（ａ）は、実施例１と同様に、処理対象が画素の場合を例示している。
【００４８】
Ｓ９０２では、光沢印刷方式選択部３０２は、Ｓ５０１と同様に薄膜干渉方式ＬＵＴを参照して、着目画素の光沢色データに対応する印刷条件が存在するか否かを判定する。判定の結果、着目画素の光沢色データに対応する印刷条件が薄膜干渉方式ＬＵＴに存在する場合はＳ９０３へ、存在しない場合はＳ９０６へ進む。
【００４９】
Ｓ９０３では、光沢印刷方式選択部３０２は、薄膜干渉ＬＵＴから光沢色データに対応する印刷条件を取得し、着目画素に対する印刷条件の候補ＣＬＣａｓｅとして保持する。保持後、Ｓ９０４へ進む。
【００５０】
Ｓ９０４では、光沢印刷方式選択部３０２は、Ｓ５０３と同様にブロンズ方式ＬＵＴを参照して、着目画素の光沢色データに対応する印刷条件が存在するか否かを判定する。判定の結果、着目画素の光沢色データに対応する印刷条件がブロンズ方式ＬＵＴに存在する場合はＳ９０５へ、存在しない場合はＳ９０７へ進む。
【００５１】
Ｓ９０５では、光沢印刷方式選択部３０２は、ブロンズ方式ＬＵＴから光沢色データに対応する印刷条件を取得し、着目画素に対する印刷条件の候補ＢｒＣａｓｅとして保持する。保持後、Ｓ９１０へ進む。
【００５２】
＜光沢印刷方式選択部の説明−入力データを複数の印刷条件で表現できる場合＞
Ｓ９１０では、光沢印刷方式選択部３０２は、着目画素に対して保持されている複数の印刷条件の候補の中から、Ｓ９０１で取得した優先順位情報に基づいて適切な光沢印刷方式を選択する。Ｓ９１０の詳細な処理フローを、図９（ｂ）に示す。Ｓ９１０１ｂでは、光沢印刷方式選択部３０２は、優先順位情報によって示される、優先されている光沢印刷方式を判定する。判定の結果、光沢印刷方式として薄膜干渉方式がブロンズ方式より優先されている場合はＳ９１０２ｂへ進み、ブロンズ方式が薄膜干渉方式より優先されている場合はＳ９１０３ｂへ進む。Ｓ９１０２ｂへ進んだ場合、印刷条件の候補として保持しているものの中から、薄膜干渉方式で表現するＣＬＣａｓｅを着目画素に対する印刷条件として決定する。Ｓ９１０３ｂへ進んだ場合、印刷条件の候補として保持しているものの中から、ブロンズ方式で表現するＢｒＣａｓｅを着目画素に対する印刷条件として決定する。以上のように、複数の印刷条件が候補となった場合に、光沢印刷方式選択部３０２は、ユーザが優先順位情報で指定した方式の光沢印刷方式を、優先的に選択する。
【００５３】
Ｓ９０７は、Ｓ５０２と同様のため説明を省略する。
【００５４】
Ｓ９０６では、光沢印刷方式選択部３０２は、Ｓ５０３と同様にブロンズ方式ＬＵＴを参照して、着目画素の光沢色データに対応する印刷条件が存在するか否かを判定する。判定の結果、着目画素の光沢色データに対応する印刷条件がブロンズ方式ＬＵＴに存在する場合はＳ９０８へ、存在しない場合はＳ９０９へ進む。尚、Ｓ９０８はＳ５０４と同様の処理であり、Ｓ９０９はＳ５０５と同様の処理であるため、説明を省略する。
【００５５】
以上説明した処理を光沢印刷方式選択部３０２が実行することで、ユーザ指定により入力された優先順位情報に基づいて、入力された光沢色データに対応する印刷条件を容易に選択することができる。従って、よりユーザが望む条件で画像を記録することが可能となる。
【００５６】
＜優先順位情報で光沢印刷方式以外のものを指定する場合＞
優先順位情報により、処理対象及び優先すべき光沢印刷方式を指定する場合を例に挙げて説明してきたが（図１０（ａ）を参照）、優先順位情報で指定されるものは、この例に限定されない。優先順位情報として、少なくとも優先すべき光沢印刷方式を特定可能なものを指定すれば良い。例えば、インク消費量を優先順位情報として指定しても良く、この場合、光沢印刷方式毎に消費するインク量を比較することで、インク消費量が少ない光沢印刷方式を選択することができる。以下、優先順位情報として、インク消費量及び解像度が指定される場合を例示する（図１０（ｂ）を参照）。このように優先順位情報として光沢印刷方式を選択するための条件を指定する場合には、画像記録装置３００が、指定する条件に関する情報を予め保持する必要がある。例えば、インク消費量が指定可能な場合には、光沢印刷方式毎のＬＵＴにおいて印刷条件とは別にインク消費量の情報を保持する必要がある。インク消費量は、消費するインクの打込み量の合計より算出する。同様に、解像度が指定可能な場合には、光沢印刷方式毎のＬＵＴにおいて印刷条件とは別に記録可能な解像度の情報を保持する必要がある。記録可能な解像度は、光沢印刷方式毎に解像度の異なるチャートを印刷及び測定することで、表現したい色味を記録可能な解像度を予め取得しておく。尚、記録可能な解像度の設定方法はこれに限定されず、着色剤に含まれる材料の特性から表現可能な解像度を算出しても良い。
【００５７】
図１０（ｂ）に、優先順位情報として光沢印刷方式でなく、光沢印刷方式を選択するための条件であるインク消費量と、解像度との何れかを指定するＵＩの例を示す。光沢印刷方式選択部３０２が優先順位情報の入力を受け付けると、優先順位情報で指定された処理対象毎に光沢印刷方式を選択するため、Ｓ９０２以降に進む。Ｓ９０２以降の以降の処理について、Ｓ９１０以外の処理は、上記の例と同様であるため説明を省略する。以下、優先順位情報により、光沢印刷方式を選択するための条件を指定する場合の、Ｓ９１０の詳細な処理について、図９（ｃ）のフロー図を用いて説明する。
【００５８】
Ｓ９１０１ｃでは、光沢印刷方式選択部３０２は、優先順位情報として指定された条件が何であるかを判定する。判定の結果、優先順位情報として指定された条件がインク消費量の場合Ｓ９１０２ｃへ進み、優先順位情報として指定された条件が解像度の場合Ｓ９１０３ｃへ進む。
【００５９】
Ｓ９１０２１、Ｓ９１０３１では、光沢印刷方式選択部３０２は、印刷条件と別に保持された条件の値を比較する。具体的には、Ｓ９１０２１では、異なる形式の印刷条件候補同士のインク消費量を比較し、Ｓ９１０３１では、異なる形式の印刷条件候補同士の解像度を比較する。Ｓ９１０２１での比較の結果、光沢印刷方式選択部３０２は、インク消費量が少ないとされる光沢印刷方式を選択し、選択された光沢印刷方式の印刷条件候補を着目画素に対する印刷条件として決定する。同様に、Ｓ９１０３１での比較の結果、光沢印刷方式選択部３０２は、記録可能な解像度が大きいとされる光沢印刷方式を選択し、選択された光沢印刷方式の印刷条件候補を着目画像に対する印刷条件として決定する。
【００６０】
以上説明した処理を光沢印刷方式選択部３０２が実行することで、光沢印刷方式を選択するための条件を、ユーザ指定により入力された優先順位情報から取得し、入力された光沢色データに対応する印刷条件を容易に選択することができる。従って、よりユーザが望む条件で画像を記録することが可能となる。
【００６１】
尚、光沢印刷方式を選択するための条件として、インク消費量及び解像度を用いる場合を例に挙げて説明したが、光沢印刷方式を選択するための条件は、上記の一例に限定されない。光沢印刷方式を選択するための条件として、例えば、表現できる光沢強度、光沢写像性、観察角度毎の色の変化等を用いても良い。
【００６２】
［実施例３］
＜並置混色＞
実施例１、２では、入力された光沢色データの色味を、画像記録装置が使用可能な薄膜干渉方式又はブロンズ方式の何れかで表現することができない場合に、従来の色域マッピング方法を用いて色差ΔＥが最小となるように光沢印刷方式を選択する例を示した。しかし、入力された光沢色データに対応する色味を、画像記録装置が使用可能な薄膜干渉方式又はブロンズ方式の何れかで表現することができない場合に、光沢印刷方式を選択する方法は、上記の一例に限定されない。例えば図１１に示すように、入力された光沢色データのプロット点を挟む２つのプロット点Ｂｒ１_２５５、ＣＬ_３２に対応する印刷条件による色味を並置混色させることで表現しても良い。複数の光沢印刷方式による色味を並置混色させる場合の、本実施例に係る光沢印刷方式選択部３０２が実行する処理を、図１２のフロー図を用いて説明する。ただし、図１２中のＳ５０１乃至Ｓ５０５については、実施例１と同様のため説明を省略する。
【００６３】
Ｓ１２０１では、光沢印刷方式選択部３０２は、入力された光沢色データの色味を、複数の光沢印刷方式による色味の並置混色により表現可能か否かを判定する。具体的には、光沢印刷方式選択部３０２は、入力値のプロット点（ａ＊ｉｎ，ｂ＊ｉｎ）をａ＊ｂ＊平面上で挟む２つのプロット点に相当する光沢印刷方式が存在するか否かを判定する（図１１を参照）。判定の結果、存在する場合は、並置混色により表現可能として、２つのプロット点が示す印刷条件を抽出し、Ｓ１２０２へ進む。逆に存在しない場合は、並置混色により表現不可としてＳ５０５へ進み、実施例１と同様の処理を行う。
【００６４】
Ｓ１２０２では、入力値のプロット点（ａ＊ｉｎ，ｂ＊ｉｎ）と、Ｓ１２０１で抽出した印刷条件２点との間のａ＊ｂ＊平面上での距離の比に基づいた割合を算出し、算出した割合に基づいて印刷条件を決定する。より好適には、光沢印刷方式毎に記録可能な解像度を考慮して、ａ＊ｂ＊平面上での距離の比に基づいた割合に並置混色させることが可能か否かを判定することが望ましい。尚、上記では、抽出した２点の印刷条件を用いて並置混色させる例を示したが、抽出する印刷条件は上記の一例に限定されない。例えば、３点や４点の印刷条件を抽出し、並置混色させても良い。
【００６５】
尚、本実施例では薄膜干渉方式又はブロンズ方式の何れかで表現することができない場合に並置混色させる例を説明したが、並置混色させる例は上記に限定されない。例えば、隣接する画素において光沢印刷方式が切り替わることによって発生する画質弊害を低減させるために、光沢印刷方式が切り替わる境界領域において、並置混色を用いても良い。
【００６６】
＜並置混色のパターン＞
本実施例では、１つの印刷条件による色味では入力された光沢色を表現できない場合に、複数の印刷条件による色味を並置混色させる場合を例に挙げて説明したが、並置混色は上記の一例に限定されない。例えば、実施例１で示した場合と同様に、画質向上を目的に光沢色データに記録されているオブジェクト毎の光沢印刷方式を統一するために並置混色を用いても良い。
【００６７】
［その他の実施例］
＜光沢色データのパターン＞
実施例１〜３では、光沢色データとして、Ｌ＊ａ＊ｂ＊色空間のａ＊ｂ＊の値を指定するデータを例に挙げて説明したが、光沢色データは上記の一例に限定されない。光沢色データは表面光沢調の色味を指定することが可能なものであれば良く、ａ＊ｂ＊の値の代わりに色相及び彩度を用いても良い。また、数値情報でなく、金や銀、銅といった材質を光沢色データとして用いても良い。図１３（ａ）に色相及び彩度を光沢色データとして用いた場合のＬＵＴの一例を、図１３（ｂ）に材質を光沢色データとして用いた場合のＬＵＴの一例を示す。
【００６８】
＜画像記録装置が使用する光沢印刷方式の種類＞
実施例１では、画像記録装置は、光沢印刷方式として、金属インク方式、薄膜干渉方式、及びブロンズ方式を使用可能であることを説明したが、使用可能な光沢印刷方式は、これら３種類に限定されない。例えば、光沢印刷方式として、周期的な凹凸を記録媒体上に形成し、反射する光を干渉させる手法を用いても良い。
【００６９】
＜画像記録装置が３種類以上の光沢印刷方式を使用可能な場合の例＞
実施例１〜３では、画像記録装置が光沢印刷方式として薄膜干渉方式とブロンズ方式との２種類を使用可能な例を示したが、使用可能な光沢印刷方式のパターンは上記の一例に限定されない。画像記録装置は任意の２種類の光沢印刷方式を使用可能であれば良く、例えば金属インク方式と薄膜干渉方式との２種類を使用可能な画像記録装置であっても良い。また、使用可能な光沢印刷方式の種類も２種類に限定されず、３種類以上であっても良い。例えば、画像記録装置が、薄膜干渉方式、ブロンズ方式、及び金属インク方式という３種類の光沢印刷方式を使用可能な場合が考えられる。画像記録装置がこれら３種類の光沢印刷方式を使用可能であり、且つ、薄膜干渉方式、ブロンズ方式、金属インク方式の順に優先順位が高い場合の、光沢印刷方式選択部３０２が実行する処理のフロー図を図１４に示す。図１４に示すように、光沢印刷方式選択部３０２は、予め決められた順に（即ち、薄膜干渉方式、ブロンズ方式、金属インク方式の順に）、光沢印刷方式毎に光沢色データに対応する色味が表現可能か否かを判定していく。
【００７０】
図１０（ｄ）に、画像記録装置が使用可能な光沢印刷方式が３種類以上存在する場合の、ユーザに提示されるＵＩの一例を示す。ユーザは、このＵＩを介して光沢印刷方式の種類毎に優先順位を設定することができる。図１０（ｄ）に示す状態で「決定」ボタンが押下されると、薄膜干渉方式、ブロンズ方式、金属インク方式の順に優先順位が設定される。一つの光沢印刷方式を選択し、順位を切り替えることも可能である。例えば、図１０（ｄ）に示す状態で「ＤＯＷＮ」ボタンが押下されると、選択中の薄膜干渉方式の優先順位を下げることができる。最終的に設定されている優先順位に基づいて、光沢印刷方式選択部３０２は、光沢印刷方式を選択する。
【００７１】
以上のように、より多くの種類の光沢印刷方式を保持することで、表現可能な色味を増やすことが可能となる。
【００７２】
＜ＬＵＴの形式＞
実施例１〜３では、光沢印刷方式毎にＬＵＴを保持し、優先順位に従ってＬＵＴを参照していく例を示したが、本発明におけるＬＵＴは上記の一例に限定されない。例えば、光沢印刷方式毎のＬＵＴの代わりに、複数の光沢印刷方式のＬＵＴを合成することで取得する、光沢色データの色味に対応する光沢印刷方式を示す１つのＬＵＴを用いても良い。
【００７３】
＜優先順位情報のパターン＞
実施例１〜３では、優先順位情報として、光沢印刷方式の種類を指定する例や、光沢印刷方式を選択するための条件を指定する例を示したが（図１０（ａ）及び図１０（ｂ）を参照）、優先順位情報で指定するものは上記の例に限定されない。例えば、仕上がる表面光沢調の色味の品位を優先するか、インク消費量や印刷時間等のコストを優先するかを、優先順位情報で指定しても良い。品位と、コストとのどちらを優先するかをユーザに指定させるユーザインターフェース例を図１０（ｃ）に示す。予め、複数の光沢印刷方式で出力したサンプルに対して、記録可能な解像度、光沢強度、光沢写像性、観察角度毎の色の変化が大きいか等を確認しておき、これらのうちの一つ以上の条件を用いることで、印刷条件毎に高品位か否かを決定する。コストの高低は、インク消費量、印刷時間等のうちの一つ以上の条件を用いることで、印刷条件毎に決定する。
【００７４】
＜光沢色データに加えて、拡散色データが入力される場合の例＞
実施例１〜３では、データ入力部３０１で取得するデータが光沢色データのみである場合を例に挙げて説明したが、データ入力部３０１で取得するデータは、上記の一例に限定されない。例えば、入力データにおいて、印刷物の領域毎に、光沢色と、照明が映り込まない際に観察される拡散光とが夫々指定されていても良い（即ち、入力データが、光沢色データと、拡散光データとから構成されていても良い）。光沢色データと、拡散色データとの両方を取得する画像記録装置３００の構成例を、図１５に示す。画像記録装置３００は、光沢色データと、拡散色データとの両方をデータ入力部３０１によって受け取る。データ入力部３０１に入力されるデータは、画素毎の、光沢色データと拡散色データとのどちらかを示す判定データ、及び、色味のデータから成る。図１６に、光沢色データと、拡散色データとの両方を含むデータの例を示す。図１６（ａ）に示す絵柄で、黒く塗りつぶされた領域が光沢色の色味ａ＊＝１０且つｂ＊＝２０の領域であり、灰色で示された領域が拡散色の色味ａ＊＝―１０且つｂ＊＝―２０の領域である。図１６（ａ）に示した絵柄を描写するための入力データを図１６（ｂ）に示す。図１６（ｂ）では、画素毎のデータが、光沢色か拡散色かを示す判定データと、色味との順で記録されている。判定データが０の場合には光沢色を示し、判定データが１の場合には拡散色を示す。
【００７５】
入力データを受け取ったデータ入力部３０１は、入力データ中に含まれる判定データに基づいて、入力データを、光沢色データと、拡散色データとに分解する。分解後、データ入力部３０１は、光沢色データを光沢印刷方式選択部３０２に送信し、拡散色データを拡散色処理部１５０１に送信する。光沢色データが入力された光沢印刷方式選択部３０２が実行する処理は実施例１、２と同様のため説明を省略する。拡散色データが入力された拡散色処理部１５０１は、予め保持する拡散色データ用の色分解ＬＵＴを用いて、拡散色データを拡散色の印刷条件であるインクの打込み量に変換する。記録部３０３は、光沢印刷方式選択部３０２から入力された光沢色の印刷条件と、拡散色処理部１５０１から入力された拡散色の印刷条件とに基づき印刷データを生成し、生成した印刷データに基づいて記録媒体上に画像を記録する。
【００７６】
以上の処理を実行することで、入力された拡散色データと、光沢色データとに応じて、印刷物の領域ごとに夫々の色味を表現することが可能となる。
【００７７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
３０１・・・データ入力部
３０２・・・光沢印刷方式選択部
３０３・・・記録部
【図２】
2016076774.tif 000004
【図３】
2016076774.tif 000005
【図４】
2016076774.tif 000006
【図５】
2016076774.tif 000007
【図６】
2016076774.tif 000008
【図７】
2016076774.tif 000009
【図８】
2016076774.tif 000010
【図９】
2016076774.tif 000011
【図１０】
2016076774.tif 000012
【図１１】
2016076774.tif 000013
【図１２】
2016076774.tif 000014
【図１３】
2016076774.tif 000015
【図１４】
2016076774.tif 000016
【図１５】
2016076774.tif 000017
【図１】
2016076774.tif 000018
【図１６】
2016076774.tif 000019